(57)【要約】【課題】遊技者の利益と不利益との偏りを低減させ、遊技機の払出率の安定した遊技機を提供する。【解決手段】継続ゲーム数の異なる複数種類の高確率再遊技期間が設けられ、複数回先の高確率再遊技期間の発生を予め決定するようにした遊技機において、所定の継続ゲーム数以内で終了する高確率再遊技期間が発生する回数を、使用遊技媒体の総数（総ＩＮ枚数）と、払出遊技媒体の総数（総ＯＵＴ枚数）とに基づいて決定するようにした。【選択図】　図３８
2004135840.tif 000002
【特許請求の範囲】
【請求項１】
複数の図柄を変動表示する変動表示手段と、内部当選役を決定する内部当選役決定手段と、前記変動表示手段の変動表示動作を、少なくとも前記内部当選役決定手段の決定結果を含む情報に基づいた停止制御によって停止表示させる停止制御手段と、前記変動表示手段に所定の図柄が停止表示された場合に、再遊技の権利を付与する再遊技実行手段と、所定の条件が成立した場合に、前記内部当選役決定手段における前記再遊技が内部当選する割合を増大させることが可能な期間を発生させる高確率再遊技期間発生手段と、前記停止制御手段によって停止された変動表示手段の停止態様が、所定の停止態様であった場合に遊技媒体の払出を行う遊技媒体払出手段と、遊技に使用された遊技媒体数を積算する使用遊技媒体積算手段と、前記払出手段によって払い出された遊技媒体数を積算する払出遊技媒体積算手段と、予め定めた範囲内のゲーム数内で終了する高確率再遊技期間が連続して発生する連続回数を決定する連続回数決定手段と、を有する遊技機において、
使用遊技媒体積算手段によって積算された使用遊技媒体の総数と、払出遊技媒体積算手段によって積算された払出遊技媒体の総数とに基づいて、前記連続回数決定手段による決定を行うことを特徴とする遊技機。
【請求項２】
前記内部当選役決定手段において特定の内部当選役が決定され、前記変動表示手段に前記特定の内部当選役に対応する図柄が停止表示しなかった場合に、次の遊技に前記特定の内部当選役を持ち越す特定内部当選役持ち越し手段とを有し、前記特定内部当選役持ち越し手段によって、前記特定の内部当選役が持ち越されている場合においても、前記特定の内部当選役を含めて、前記内部当選役決定手段による内部当選の決定を行うようにしたことを特徴とする請求項１に記載の遊技機。
【請求項３】
前記内部当選役決定手段において、前記特定の内部当選役が決定された回数を記憶可能な特定内部当選役決定回数記憶手段とを有し、
前記特定内部当選役持ち越し手段は、前記特定内部当選役決定回数記憶手段に記憶される回数分の内部当選役を持ち越すようにしたことを特徴とする請求項１又は２に記載の遊技機。
【請求項４】
前記変動表示手段に前記特定の内部当選役に対応する図柄が停止表示された回数を、特定内部当選役決定回数記憶手段から減算する特定内部当選役決定回数減算手段を備えたことを特徴とする請求項１乃至３に記載の遊技機。
【請求項５】
前記変動表示手段の変動表示を停止させるための複数の操作手段を有し、前記停止制御手段による停止制御を、前記内部当選役の決定結果と、前記操作手段の操作とに基づいて行うようにしたことを特徴とする請求項１乃至４に記載の遊技機。
【請求項６】
前記遊技機はスロットマシンまたは弾球式遊技機であることを特徴とする請求項１乃至５に記載される遊技機。
【発明の詳細な説明】
【０００１】
【発明の属する技術分野】
本発明は、遊技に必要な図柄を変動表示する変動表示手段と、その変動表示を制御するマイクロコンピュータ等の制御手段とを備えたスロットマシン、パチンコ機、その他の遊技機に関するものである。
【０００２】
【従来の技術】
従来、このような遊技機として、例えば、停止ボタンを備えたスロットマシン、いわゆるパチスロ遊技機が知られている。一般的に、このパチスロは、正面の表示窓内に複数の図柄を変動表示する回転リールを複数配列して構成した機械的変動表示装置やリール上の図柄を画面に表示する電気的変動表示装置を有しており、この変動表示装置に所定の図柄組合せを揃えることにより行われるものである。
【０００３】
このパチスロ機の遊技は、まず、遊技者の遊技媒体（メダルまたはコイン等）の投入によって開始される。そして、遊技者のスタート操作に応じて、制御手段が変動表示装置を駆動制御して各リールを回転させることにより、図柄を変動表示させる。変動した図柄は、一定時間後自動的に、或いは遊技者の停止操作により、各リールの回転を順次停止させる。このとき、表示窓内に現れた各リールの図柄が特定の組合せ（入賞図柄）になった場合には、遊技媒体を払い出すことによって遊技者に利益を付与する。
【０００４】
このようなパチスロ遊技機は、複数種類の入賞態様を有している。特に、所定の入賞役の入賞が成立したときは、１回のメダルの払い出しに終わらず、所定期間、通常の状態よりも条件の良い遊技状態（ボーナスゲーム）となるものがある。このような入賞役として、遊技者に相対的に大きな利益を与えるゲームを所定回数行える入賞役（「ビッグボーナス」と称し、以下「ＢＢ」と表す）と、遊技者に相対的に小さな利益を与えるゲームを所定回数行える入賞役（「レギュラーボーナス」と称し、以下「ＲＢ」と表す）がある。
【０００５】
また、パチスロ遊技機においては、有効化された入賞ライン（以下「有効ライン」という）に沿って停止表示される図柄の組合せは、内部的な抽選処理（以下「内部抽選」という）を行い、この抽選結果と、遊技者の停止操作タイミングとに基づいて決定されている。つまり、メダル、コイン等が払い出される入賞が成立するためには、上述の内部的な抽選処理により入賞役に当選（以下「内部当選」という）し、かつその内部当選した入賞役（以下「内部当選役」という）の入賞成立を示す図柄組合せを有効ラインに停止できるタイミングで遊技者が停止操作を行うことが要求される。つまり、いくら内部当選したとしても、遊技者の停止操作のタイミングが悪いと入賞を成立させることができない。
【０００６】
小役と称されるＢＢ、ＲＢ以外の内部当選役は、内部当選したゲームで入賞を成立させられなければ、入賞を得られる権利を失ってしまうので、いわゆる「目押し」と称される、適切なタイミングで行う停止操作を行わなければ、獲得できるメダル等の数が減ってしまうことになる。また、全ての入賞役について常に目押しを行わなければならないような構成にしてしまうと、遊技者間の技術の差による獲得メダル数に大きな開きが生じてしまい、初心者が著しく不利を被ってしまうことから、上述のＢＢ、ＲＢ等は入賞するまで内部当選役が保持されるような構成になっている。
【０００７】
従来、ＢＢやＲＢの内部当選役が持ち越されている間は、ＢＢやＲＢの内部抽選が行われないようにしていたが、近年、ＢＢやＲＢの内部当選役が持ち越されている間にもＢＢやＲＢの内部抽選を行い、更にＢＢやＲＢに内部当選した回数をそれぞれ記憶し、内部当選した回数分だけＢＢやＲＢに入賞する機会を与える、いわゆるストック機能を有する遊技機が提案されている。
【０００８】
また、入賞が成立すると遊技媒体を賭けることなく次のゲームを行うことが可能となる役として再遊技が設けられているが、この再遊技に内部当選する確率が高い状態で所定期間遊技を行うことのできる高確率再遊技期間というものがある。この高確率再遊技期間とストック機能とを組み合わせて、高確率再遊技期間中に、ボーナスの内部当選役を貯め込むようにした遊技機も知られている。
【０００９】
【発明が解決しようとする課題】
上述の遊技機において、高確率再遊技期間は、乱数抽選による継続と終了との振り分けをすることや、所定の小役が入賞または内部当選したことを契機とすることで、その期間終了の決定が行われていた。
【００１０】
この従来機のように高確率再遊技期間の終了を決定してしまうと、長い高確率再遊技期間が連続したり、或いは短い高確率再遊技期間が連続したりするようなことが頻繁に発生してしまう。このような現象が起こると、著しく不利益を被る場合や、著しく利益を得る場合が偏ってしまい、遊技者の遊技に対する面白みが薄れるばかりでなく、払出率が安定しないので遊技店側も不利益を被ることがある。
【００１１】
本発明の目的は、遊技者の利益と不利益との偏りを低減させ、遊技機の払出率の安定した遊技機を提供することである。
【００１２】
【課題を解決するための手段】
本発明はこのような課題を解決するためになされたもので、複数の図柄を変動表示する変動表示手段と、内部当選役を決定する内部当選役決定手段と、前記変動表示手段の変動表示動作を、少なくとも前記内部当選役決定手段の決定結果を含む情報に基づいた停止制御によって停止表示させる停止制御手段と、前記変動表示手段に所定の図柄が停止表示された場合に、再遊技の権利を付与する再遊技実行手段と、所定の条件が成立した場合に、前記内部当選役決定手段における前記再遊技が内部当選する割合を増大させることが可能な期間を発生させる高確率再遊技期間発生手段と、前記停止制御手段によって停止された変動表示手段の停止態様が、所定の停止態様であった場合に遊技媒体の払出を行う遊技媒体払出手段と、遊技に使用された遊技媒体数を積算する使用遊技媒体積算手段と、前記払出手段によって払い出された遊技媒体数を積算する払出遊技媒体積算手段と、予め定めた範囲内のゲーム数内で終了する高確率再遊技期間が連続して発生する連続回数を決定する連続回数決定手段と、を有する遊技機において、使用遊技媒体積算手段によって積算された使用遊技媒体の総数と、払出遊技媒体積算手段によって積算された払出遊技媒体の総数とに基づいて、前記連続回数決定手段による決定を行うことを特徴とするものである。
【００１３】
このような構成によれば、継続ゲーム数の異なる複数種類の高確率再遊技期間が設けられ、複数回先の高確率再遊技期間の発生を予め決定するようにした遊技機において、所定の継続ゲーム数以内で終了する高確率再遊技期間が発生する回数を、使用遊技媒体の総数（総ＩＮ枚数）と、払出遊技媒体の総数（総ＯＵＴ枚数）とに基づいて決定するようにしたことから、高確率再遊技期間の継続ゲーム数に偏りが発生したとしても、総ＩＮ枚数と総ＯＵＴ枚数の差が所定の値に達した場合に、特定継続ゲーム数以内の高確率再遊技期間が連続して選択されるようにしたり、或いは特定継続ゲーム数以内の高確率再遊技期間が連続して選択されないようにすることにより、遊技者の利益と不利益との偏りを低減させることが可能になり、遊技機の払出率を安定させることができるようになる。
【００１４】
また、本発明は、前記内部当選役決定手段において特定の内部当選役が決定され、前記変動表示手段に前記特定の内部当選役に対応する図柄が停止表示しなかった場合に、次の遊技に前記特定の内部当選役を持ち越す特定内部当選役持ち越し手段とを有し、前記特定内部当選役持ち越し手段によって、前記特定の内部当選役が持ち越されている場合においても、前記特定の内部当選役を含めて、前記内部当選役決定手段による内部当選の決定を行うようにしたことを特徴とするものである。
【００１５】
このような構成によれば、ボーナスが内部当選している場合にもボーナスの抽選を行うので、ボーナスが内部当選がしてもボーナス図柄を停止表示させることのできない初心者でも、ボーナスの抽選を行う機会が減ることがなくなる。
【００１６】
また、本発明は、前記内部当選役決定手段において、前記特定の内部当選役が決定された回数を記憶可能な特定内部当選役決定回数記憶手段とを有し、前記特定内部当選役持ち越し手段は、前記特定内部当選役決定回数記憶手段に記憶される回数分の内部当選役を持ち越すようにしたことを特徴とするものである。
【００１７】
このような構成によれば、ボーナスが内部当選している場合にボーナスが内部当選しても、その内部当選した回数を記憶しておくので、ボーナスが内部当選した回数分の入賞を保証することができる。
【００１８】
また、本発明は、前記変動表示手段に前記特定の内部当選役に対応する図柄が停止表示された回数を、特定内部当選役決定回数記憶手段から減算する特定内部当選役決定回数減算手段を備えたことを特徴とするものである。
【００１９】
このような構成によれば、内部当選した回数から入賞した回数分を減算するので、ボーナスが内部当選した回数分以上のボーナスを入賞させることがないようにすることができる。
【００２０】
また、本発明は、前記変動表示手段の変動表示を停止させるための複数の操作手段を有し、前記停止制御手段による停止制御を、前記内部当選役の決定結果と、前記操作手段の操作とに基づいて行うようにしたことを特徴とするものである。
【００２１】
このような構成によれば、変動表示手段の停止表示の決定に、遊技者の操作が関与することから、遊技者の技量によって異なる結果が得られるので、技術介入性を高めることができる。
【００２２】
【発明の実施の形態】
図１は、本発明の一実施例である遊技機１の外観を示す斜視図であり、図２は、同じく遊技機１の正面図である。遊技機１は、いわゆる「パチスロ機」である。この遊技機１は、コイン、メダル又はトークンなどの他、遊技者に付与された、もしくは付与される遊技価値の情報を記憶したカード等の遊技媒体を用いて遊技することが可能な遊技機であるが、以下ではメダルを用いるものとして説明する。
【００２３】
遊技機１の全体を形成しているキャビネット２の正面には、略垂直面としてのパネル表示部２ａが形成され、その中央には縦長矩形の表示窓４Ｌ、４Ｃ、４Ｒが設けられる。表示窓４Ｌ、４Ｃ、４Ｒには、入賞ラインとして水平方向にセンターライン８ａ、トップライン８ｂ及びボトムライン８ｃ、斜め方向にクロスダウンライン８ｄ及びクロスアップライン８ｅが設けられている。これらの入賞ラインは、後述の１−ＢＥＴスイッチ１１、２−ＢＥＴスイッチ１２、最大−ＢＥＴスイッチ１３を操作すること、或いはメダル投入口２２にメダルを投入することにより、それぞれ１本、３本、５本が有効化される。どの入賞ラインが有効化されたかは、後で説明するＢＥＴランプ９ａ、９ｂ、９ｃの点灯で表示される。
【００２４】
キャビネット２の内部には、各々の外周面に複数種類の図柄によって構成される図柄列が描かれた３個のリール３Ｌ、３Ｃ、３Ｒが回転自在に横一列に設けられ、変動表示手段を形成している。各リールの図柄は表示窓４Ｌ、４Ｃ、４Ｒを通して観察できるようになっている。各リールは、定速回転（例えば８０回転／分）で回転する。
【００２５】
表示窓４Ｌ、４Ｃ、４Ｒの左側には、１−ＢＥＴランプ９ａ、２−ＢＥＴランプ９ｂ、最大ＢＥＴランプ９ｃ、遊技メダル貯留枚数表示部１９が設けられる。
１−ＢＥＴランプ９ａ、２−ＢＥＴランプ９ｂ及び最大ＢＥＴランプ９ｃは、一のゲームを行うために賭けられたメダルの数（以下「ＢＥＴ数」という）に応じて点灯する。ここで、本実施例では、一のゲームは、全てのリールが停止したとき、もしくは遊技媒体の払い出しが行われる場合には、遊技媒体が払い出されたときに終了する。１−ＢＥＴランプ９ａは、ＢＥＴ数が“１”で１本の入賞ラインが有効化されたときに点灯する。２−ＢＥＴランプ９ｂは、ＢＥＴ数が“２”で３本の入賞ラインが有効化されたときに点灯する。最大ＢＥＴランプ９ｃは、ＢＥＴ数が“３”で全て（５本）の入賞ラインが有効化されたときに点灯する。
遊技開始表示ランプは、少なくとも１本のラインが有効化されたときに点灯する。遊技メダル貯留枚数表示部１９は、７セグメントＬＥＤから成り、貯留されているメダルの枚数を表示する。
【００２６】
表示窓４Ｌ、４Ｃ、４Ｒの右側には、ＷＩＮランプ１７、払出表示部１８及び遊技メダル投入ランプ２４が設けられる。ＷＩＮランプ１７は、ＢＢ又はＲＢに内部当選した場合に所定確率で点灯し、また、ＢＢ又はＲＢの入賞が成立した場合にも点灯する。払出表示部１８は、７セグメントＬＥＤから成り、入賞成立時のメダルの払出枚数を表示する。遊技メダル投入ランプ２４は、遊技メダルの投入が受け付け可能なときに点滅する。
【００２７】
パネル表示部２ａの右側上部には、役物作動回数表示部２０が設けられる。役物作動回数表示部２０は、７セグメントＬＥＤから成り、後で説明するＲＢゲーム可能回数及びＲＢゲーム入賞可能回数等を表示する。表示窓４Ｌ、４Ｃ、４Ｒの下方には水平面の台座部１０が形成され、その台座部１０と表示窓４Ｌ、４Ｃ、４Ｒとの間には液晶表示装置５が設けられている。この液晶表示装置５の表示画面５ａには、遊技に関する演出や広告等の様々な画像が表示される。
【００２８】
パネル表示部２ａの左側上方位置に、遊技停止表示器３１、再遊技表示器３２、ＲＢ作動表示器３３、ＢＢ作動表示器３４が設けられている。遊技停止表示器３１は前回の回胴回転から今回の回胴回転までの時間が所定の時間（実施例では４．１秒）未満のときに点灯する。再遊技表示器３２は再遊技が作動したときに点灯する。ＲＢ作動表示器３３はＲＢ作動中に点灯し、ＢＢ作動表示器３４はＢＢ作動中に点灯する。
【００２９】
液晶表示装置５の右側にはメダル投入口２２が設けられ、液晶表示装置５の左下位置には、１−ＢＥＴスイッチ１１、２−ＢＥＴスイッチ１２、および最大ＢＥＴスイッチ１３が設けられる。また、液晶表示装置５の左上位置には、十字ボタン２６、○ボタン２７、×ボタン２８が設けられる。
【００３０】
１−ＢＥＴスイッチ１１は、１回の押し操作によりクレジットされているメダルのうちの１枚がゲームに賭けられ、２−ＢＥＴスイッチ１２は、１回の押し操作によりクレジットされているメダルのうちの２枚がゲームに賭けられ、最大ＢＥＴスイッチ１３は、１回の押し操作により１回のゲームに賭けることが可能な最大枚数のメダルが賭けられる。これらのＢＥＴスイッチを操作することで、前述の通り、所定の入賞ラインが有効化される。
【００３１】
そして、十字ボタン２６、○ボタン２７、×ボタン２８を操作することによって、液晶表示画面５ａの切替及び入力を行うことができる。
【００３２】
台座部１０の前面部の左寄りには、遊技者がゲームで獲得したメダルのクレジット／払い出しを押しボタン操作で切り替える貯留メダル精算スイッチ１４が設けられている。この貯留メダル精算スイッチ１４の切り替えにより、正面下部の遊技メダル払出口１５からメダルが払い出され、払い出されたメダルは遊技メダル受け部１６に溜められる。貯留メダル精算スイッチ１４の右側には、遊技者の操作により上記リールを回転させ、表示窓４Ｌ、４Ｃ、４Ｒ内での図柄の変動表示を開始（ゲームを開始）するためのスタートレバー６が所定の角度範囲で回動自在に取り付けられている。
【００３３】
台座部１０の前面部の右寄りには、ドア開閉および打ち止め解除装置２９が設けられており、このドア開閉および打ち止め解除装置２９は、所定の鍵を用いて、右に回すことにより前面ドアの開閉を行い、左に回すことにより打ち止めの解除を行う。
【００３４】
キャビネット２の上方の左右には、スピーカ２１Ｌ、２１Ｒが設けられ、その２台のスピーカ２１Ｌ、２１Ｒの間には、入賞図柄の組合せ及びメダルの配当枚数等を表示する配当表パネル２３が設けられている。台座部１０の前面部中央で、液晶表示装置５の下方位置には、３個のリール３Ｌ、３Ｃ、３Ｒの回転をそれぞれ停止させるための３個の停止ボタン７Ｌ、７Ｃ、７Ｒが設けられている。
【００３５】
図５は、各リール３Ｌ、３Ｃ、３Ｒに表された複数種類の図柄が２１個配列された図柄列を示している。各図柄には“０１”〜“２１”のコードナンバーが付され、データテーブルとして後で説明するＲＯＭ３２に格納されている。各リール３Ｌ、３Ｃ、３Ｒ上には、「青７」、「赤７」、「ＢＡＲ」、「ベル」、「プラム」、「スイカ」、「リプレイ（Ｒｅｐｌａｙ）」及び「チェリー」の図柄で構成される図柄列が表されている。各リール３Ｌ、３Ｃ、３Ｒは、図柄列が矢印方向に移動するように回転駆動される。
【００３６】
図６に示した表は、各入賞役の図柄組合せ、およびそれに対応する払出枚数を示したものである。なお、この表は、役物を除き、３枚掛けで遊技した場合のものである。
【００３７】
有効ラインに沿って図柄組合せ「プラム−プラム−プラム」が並ぶことにより、「プラムの小役」の入賞が成立する。この「プラムの小役」に入賞した場合には、１０枚のメダルが払い出される。同様に「スイカ−スイカ−スイカ」が並ぶことにより、「スイカの小役」の入賞が成立し、１枚のメダルが払い出される。
【００３８】
「チェリーの小役」は、チェリーが停止した箇所によって異なり、左リールの中段にチェリーが停止した場合には、「中チェリーの小役」の入賞が成立し、２枚のメダルが払い出される。左リールの上段もしくは下段にチェリーが停止した場合には「角チェリーの小役」の入賞が成立し、４枚のメダルが払い出される。
【００３９】
「ＲＢ」は、ＢＢ作動中以外において有効ラインに沿って並んだ図柄の組合せが「ＢＡＲ−　ＢＡＲ−　ＢＡＲ」であるとき、ＢＢ作動中の場合には有効ラインに沿って並んだ図柄の組合せが、「Ｒｅｐｌａｙ−Ｒｅｐｌａｙ−Ｒｅｐｌａｙ」もしくは「ＢＡＲ−Ｒｅｐｌａｙ−Ｒｅｐｌａｙ」であるときにＲＢ遊技状態に移行する。払出枚数は、ＢＢ作動中以外の場合が１５枚、ＢＢ作動中の場合が６枚である。また、このＲＢ遊技状態では、メダルを１枚賭けることにより「役物」の図柄組合せ「Ｒｅｐｌａｙ−Ｒｅｐｌａｙ−Ｒｅｐｌａｙ」もしくは「ＢＡＲ−Ｒｅｐｌａｙ−Ｒｅｐｌａｙ」が揃うことで、１５枚のメダルを獲得できるものであって、この役物に当たりやすい遊技状態である。１回の「ＲＢ遊技状態」において遊技可能な最大のゲーム回数（これを「ＲＢゲーム可能回数」という）は、１２回である。また、このＲＢ遊技状態において、入賞できる回数（これを「ＲＢゲーム入賞可能回数」という）は、８回までである。すなわち、この「ＲＢ遊技状態」は、ゲーム回数が１２回に達するか、又は入賞回数が８回に達した場合に終了する。
【００４０】
有効ラインに沿って「青７−青７−青７」、又は「赤７−赤７−赤７」が並んだときは、ＢＢの入賞が成立し、１５枚のメダルが払い出されると共に、次のゲームの遊技状態が「ＢＢ遊技状態」となる。一回のＢＢは、ＢＢ中一般遊技状態を３０ゲーム遊技した場合、もしくはＲＢ遊技状態に３回移行し、３回目のＲＢが終了したところで終了する。
【００４１】
ＢＢ作動中およびＲＢ作動中以外の場合に、有効ラインに沿って並んだ図柄の組合せが「Ｒｅｐｌａｙ−Ｒｅｐｌａｙ−Ｒｅｐｌａｙ」もしくは「ＢＡＲ−Ｒｅｐｌａｙ−Ｒｅｐｌａｙ」であるときは、「再遊技」の入賞が成立する。再遊技の入賞が成立すると、投入したメダルの枚数と同数のメダルが自動投入されるので、遊技者は、メダルを消費することなく遊技を行うことができる。「再遊技」に内部当選したとき、入賞が成立するか否かは、選択されたテーブル群によって決定される。
【００４２】
図７は、内部当選役の決定のために用いる確率抽選テーブルについて示したものである。この確率抽選テーブルは、遊技状態によって異なるものであるが、図７では、その一例について示したものである。また、いずれのテーブルもその乱数範囲は０〜１６３８３であり、この範囲にある数値から抽出される一の数値を用いて、内部当選役が決定される。（ａ）は一般遊技中、高確率再遊技中でない場合のＢＢ内部当選中、高確率再遊技中でない場合のＲＢ内部当選中に用いる確率抽選テーブルである。（ｂ）は、高確率再遊技中のＢＢ内部当選中、高確率再遊技中のＲＢ内部当選中に用いる確率抽選テーブルである。これらの確率抽選テーブルは、「再遊技」および「ハズレ」の当選確率が異なるが、それ以外の抽選確率は全て同じになっている。（ｂ）は高確率再遊技中であることから、（ａ）に比べて「再遊技」の当選確率が高くなっている。また、ＢＢ作動中、ＲＢ作動中等、他の遊技状態毎に確率抽選テーブルが存在するが、ここではその説明を省略するようにしている。
【００４３】
図８は、内部当選役と、ヒットリクエストフラグの関係を示したものである。
このヒットリクエストフラグとは、所定の内部当選役を次ゲーム以降に持ち越す場合に用いるものである。本実施例では、ＲＢおよびＢＢは、内部当選したゲームで入賞に至らなかった場合には持ち越されるようになっている。また、それ以外の内部当選役は、内部当選したゲームで入賞に至らなかった場合には消滅するようになっている。つまり、ＢＢおよびＲＢ以外の内部当選役は、内部当選したゲームで入賞させられないと、その内部当選役を入賞させる権利が消滅してしまうが、ＢＢおよびＲＢの内部当選役は入賞に至るまで、その内部当選役を入賞させる権利が消滅しないようになっている。
【００４４】
具体的には、ヒットリクエストフラグの格納領域に００Ｈ、すなわち何もセットされていない場合に、ＢＢおよびＲＢ以外の内部当選役が内部当選した場合は、００Ｈのまま保持される。そして、ヒットリクエストフラグの格納領域に００Ｈの格納されている場合に、ＢＢが内部当選したときは２０Ｈを格納し、同様にＲＢが内部当選したときは１０Ｈを格納する。そして、このヒットリクエストフラグは入賞するまで保持されるので、ＢＢおよびＲＢに入賞する権利を次ゲーム以降に持ち越すことができる。また、ヒットリクエストフラグが００Ｈ以外の場合に、ＢＢもしくはＲＢに内部当選した場合には、既に格納されているヒットリクエストは維持されたままで、ＲＡＭの所定領域に記憶されるボーナスの内部当選回数（ＢＢストック数もしくはＲＢストック数）に加算されるようにしている。
【００４５】
図９、図１０、図１１は、遊技状態と、内部当選役と、選択される停止テーブル群との関係を示した表である。ここで、遊技状態とは、ヒットリクエストフラグがセットされているか否か、ボーナス作動中であるか否かによって区分されている。一般遊技状態とは、ヒットリクエストフラグがセットされていない状態で、一般遊技中とも表現する。ＢＢ内部当選状態は、確率抽選処理が行われるときにヒットリクエストフラグに２０Ｈが格納されている状態で、ＢＢ内部当選中一般遊技状態とも表現される。ＲＢ内部当選状態は、確率抽選処理が行われるときにヒットリクエストフラグに１０Ｈが格納されている状態で、ＲＢ内部当選中一般遊技状態とも表現される。ＢＢ作動中とは、ビッグボーナスゲームが行われている状態であり、ＢＢ中一般遊技状態とも表現される。ＲＢ作動中とは、レギュラーボーナスゲームが行われている状態であり、ＲＢ遊技状態とも表現される。
【００４６】
また、停止テーブル群とは、リールの停止制御を行うために参照する停止テーブルの集合体を示すもので、停止テーブルとはリールの停止位置を制御するための情報を有するものを指している。本実施例では、停止操作位置と、停止制御位置を１対１の関係で示しているが、これ以外にも予め決定された入賞役が停止制御可能か否かを検索するもの等を採用してもよく、ここでは、それらのような停止制御方法を行うための情報をも含めて停止テーブルと表現するようにしている。
【００４７】
回転しているリールが停止制御される際には、まず、遊技状態と、内部当選役に基づいて、一つの停止テーブル群が選択される。そして、その停止テーブル群の中から、一つの停止テーブルが選択され、その停止テーブルに基づいて停止制御が行われることになる。
【００４８】
ここで、「全入賞役入賞不成立停止テーブル群」が選択された場合には、有効ライン上に、いずれの入賞役も成立しないように停止制御される。そして、それ以外のものが選択されたときは、該当する入賞役が入賞可能なように停止制御が行われるが、必ず入賞するとは限らない。本実施例のリール制御は、停止操作が行われた図柄から数えて、最大で４コマまで滑るようにしているので、その範囲内に該当する入賞役に対応する図柄が存在しない場合には、いずれの入賞役も成立しない位置で停止制御される。例えば「スイカ入賞成立可能停止テーブル群」が選択された場合、スイカの図柄はリール配列上４コマ置きには存在しないので、停止操作位置が適切な位置でない場合には、入賞させることができないようになっている。
【００４９】
また、高確率再遊技中に再遊技が内部当選した場合には、全入賞役入賞不成立停止テーブル群と、再遊技入賞成立可能停止テーブル群とのいずれかが選択され、選択された停止テーブル群の中から停止テーブルが選択される。この選択については後述する。
【００５０】
図１２〜１４は、図９〜１１に示した停止テーブル群に基づいて停止制御する場合の、各遊技状態における内部当選役に対する入賞の可能性のある入賞役をまとめたものである。図９〜１１に示すように停止テーブル群を選択することによって、一般遊技状態および高確率再遊技中にはＢＢおよびＲＢが入賞しないようにすることができる。
【００５１】
図１５は、高確率再遊技期間中において、再遊技が内部当選した場合の停止制御に用いられる停止テーブル群を選択するときに参照する停止テーブル群選択テーブルについて示したものである。この場合の乱数範囲は０〜２５５である。この選択方法としては、まず乱数値を抽出し、その乱数値から抽選値を順次減算し、初めて負になった行の停止テーブル群を選択する。
【００５２】
例えば、乱数値として“２４５”が抽出されたとすると、まず、この“２４５”から、最初の抽選値である“２１４”を減算し、“３１”となる。この値は正なので、更に次の抽選値である“４２”を減算し、“−１１”となる。ここで負になるので、この場合は再遊技入賞成立可能停止テーブル群が選択されることになる。このように高確率再遊技中に停止テーブル群を選択することによって、再遊技が内部当選してもリールに停止表示される図柄組合せをハズレにすることができる。しかも、上述した確率抽選テーブルにおける再遊技が内部当選する割合と、停止テーブル群選択テーブルにおける再遊技入賞可能停止テーブルが選択される割合を調節することによって、高確率再遊技中と、高確率再遊技中でない場合との、実際に再遊技が入賞する確率をほぼ同じにすることができる。つまり、このような制御をすることによって、遊技者に現在高確率再遊技中であるか否かを認識できないようにすることができる。
【００５３】
次に、図１６、図１７を参照して、再遊技に内部当選したときに使用される停止テーブルについて説明する。停止テーブルには、各リール３Ｌ、３Ｃ、３Ｒの「停止操作位置」と「停止制御位置」とが示されている。停止操作位置は、各リール３Ｌ、３Ｃ、３Ｒに対応して設けられた停止ボタン７Ｌ、７Ｃ、７Ｒが操作されたとき、センターライン８ａに位置していた図柄のコードナンバーで表したものである。
【００５４】
「停止制御位置」とは、停止操作が行われたリールが停止したとき、センターライン８ａの位置に停止表示される図柄のコードナンバーで表したものである。
ここで、本実施例では、いわゆる「滑りコマ数」を最大４コマとしている。例えば、右のリール３Ｒの回転中において、コードナンバー“０８”の「青７」がセンターライン８ａの位置に到達したとき、停止ボタン７Ｒが操作された場合、コードナンバー“１２”の「プラム」をセンターライン８ａの位置に停止表示するように右のリール３Ｒを停止制御することができる。
【００５５】
図１６は、再遊技入賞成立可能停止テーブル群に含まれる停止テーブルの一例を示したものである。このテーブルは、上述の通り、高確率再遊技中でない場合において再遊技に内部当選したゲームにおいて必ず使用される。他方、高確率再遊技中において再遊技に内部当選したゲームでは、上述の図１５の選択テーブルおいて、再遊技入賞成立可能停止テーブル群が選択された場合に使用される。
【００５６】
図１６において、左のリール３Ｌの「停止制御位置」は、コードナンバー“０２”、“０５”、“０８”、“１３”又は“１８”のいずれかである。これらのコードナンバーに対応する図柄の一つ下に配置された図柄は、「Ｒｅｐｌａｙ」又は「ＢＡＲ」である。
【００５７】
図１６において、中央のリール３Ｃの「停止制御位置」は、コードナンバー“０３”、“０８”、“１２”、“１６”又は“１９”のいずれかである。これらのコードナンバーに対応する図柄は、「Ｒｅｐｌａｙ」である。
【００５８】
図１６において、右のリール３Ｒの「停止制御位置」は、コードナンバー“０１”、“０５”、“１０”、“１４”又は“１８”のいずれかである。これらコードナンバーに対応する図柄の一つ上に配置された図柄は、「Ｒｅｐｌａｙ」である。
【００５９】
以上のように、図１６に示す再遊技入賞成立可能停止テーブルが各リール３Ｌ、３Ｃ、３Ｒの停止制御に使用された場合には、クロスアップライン８ｅに沿って「Ｒｅｐｌａｙ−Ｒｅｐｌａｙ−Ｒｅｐｌａｙ」又は「ＢＡＲ−Ｒｅｐｌａｙ−Ｒｅｐｌａｙ」が並ぶこととなる。つまり、必ず再遊技の入賞が成立することとなる。
【００６０】
図１７は、全入賞役入賞不成立停止テーブル群に含まれる停止テーブルの一例を示したものである。このテーブルは、高確率再遊技中に再遊技に内部当選したゲームにおいて、上述の図１５の選択テーブルにより全入賞役入賞不成立停止テーブル群が選択された場合に使用されるか否かが決定される。ここで、左のリール３Ｌ及び中央のリール３Ｃの停止操作位置に対する停止制御位置は、図１６に示すものと同じである。
【００６１】
図１７において、右のリール３Ｒの「停止制御位置」は、コードナンバー“０２”、“０６”、“１１”、“１５”又は“１９”のいずれかである。これらのコードナンバーに対応する図柄は、「Ｒｅｐｌａｙ」である。そして、これらのコードナンバーに対応する図柄の一つ上に「Ｒｅｐｌａｙ」は配置されていない。
【００６２】
以上のように、図１７に示す全入賞役入賞不成立停止テーブルによって各リール３Ｌ、３Ｃ、３Ｒの停止制御に使用された場合には、左の表示窓４Ｌ内の下段の位置に「Ｒｅｐｌａｙ」又は「ＢＡＲ」が停止表示され、中央及び右の表示窓４Ｃ、４Ｒ内の中段の位置に「Ｒｅｐｌａｙ」が停止表示されることとなる。つまり、全入賞役入賞不成立停止テーブルが停止制御に使用された場合には、再遊技の入賞が成立することはない。
【００６３】
図１８は、連続入賞回数選択状態切替テーブルを示したものである。本実施例では、このテーブルは、所定の入賞役が入賞した場合に使用されるようにしている。（ａ）はチェリー入賞時用連続入賞回数選択状態切替テーブルであり、チェリーが入賞したときに使用される。そして、（ｂ）は、スイカ入賞時用連続入賞回数選択状態切替テーブルであり、スイカに入賞した場合に使用される。ここで、連続入賞回数選択状態とは、短い継続ゲーム数の高確率再遊技を何回連続で発生させるかの選択を行うときに必要となる種々の条件を選択する際の状態のことを指している。このように短い継続ゲーム数の高確率再遊技の発生回数に関わる種々の条件選択を行うときの状態を複数持つようにすることによって、同一の条件を選択する場合であっても、その状態毎に選択テーブルを設けることができるので、状態毎に異なる遊技性を持たせることができる。
【００６４】
具体的には、例えばチェリー入賞時には、図１８（ａ）のチェリー入賞時用入賞回数選択状態切替テーブルが参照される（このとき、この選択に必要な乱数値が抽出されるが、この抽出のタイミングは特に限定されない。）。このテーブルでは、現在の状態と、抽出された乱数値に基づいて、次のゲームをどの状態にするかを選択する。同様に、（ｂ）はスイカが入賞した場合に用いるようにしている。
【００６５】
図１９は、高確率再遊技継続ゲーム数選択テーブルを示したものである。この高確率再遊技継続ゲーム数とは、高確率再遊技の期間が継続するゲーム数のことを指している。連続入賞回数１以上の高確率再遊技継続ゲーム数選択テーブルは、その継続ゲーム数の期待値が３．０１回と比較的短いゲーム数になっており、連続入賞回数０の高確率再遊技継続ゲーム数選択テーブルは、その継続ゲーム数の期待値が６７３．６８回と比較的長いゲーム数になっている。
【００６６】
図２０は、連続入賞回数選択テーブルを示したものである。この連続入賞回数とは、継続ゲーム数が短い高確率再遊技期間を発生させる何回数である。この回数を決定することによって、結果的にボーナスを短いゲーム数間隔で連続して発生させることが可能になる。この回数は、図１８に示したテーブルによって決定させる選択状態によって異なるようにしている。具体的に、この連続入賞回数の選択が、選択状態Ａのときに行われた場合は比較的小さい回数が選択されるようになっており、選択状態Ｂのときに行われた場合は比較的大きい回数が選択されるようになっている。
【００６７】
図２１は、次ボーナス選択テーブルを示したものである。この次ボーナス選択テーブルは、ＢＢおよびＲＢがともにストックされている状態において、ボーナスが終了したときに次に入賞させるボーナスを決定するものである。このように、ボーナスを選択することによって、内部抽選以外にもボーナスの入賞確率を制御することができる。
【００６８】
具体的に本実施例では、ＢＢ終了後、もしくはＲＢ終了後に、次ボーナス選択テーブルが参照される（このテーブルの使用は、ボーナスが終了する前までに行えば、そのタイミングはいつでもよく、この選択に用いる乱数値の抽出タイミングも特に限定されない。）。抽出された乱数値に基づいて、次のボーナスが決定される。
【００６９】
図２２にコマンド表について説明する。このコマンドは、主制御回路８１（後述する）から副制御回路８２（後述する）に送信されるものである。このスタートコマンドについて説明すると、このゲームの内部当選役の種別、遊技状態、および高確率再遊技継続ゲーム数、連続入賞回数選択状態が一つのコマンドとして送信される。その他のコマンドについても同様である。また、図２２に示したコマンドは、その一例であり、これら以外にも副制御回路で行う制御に必要な情報の送信を行っている。
【００７０】
図２３は、本実施例において液晶表示装置５の表示画面５ａに表示される演出画像を示したものである。（ａ）は、演出画像１として、キャラクターが両手を挙げるとともに、両足を広げて立っているところを示したものである。（ｂ）は、演出画像２として、キャラクターが両手をおろして、両足を広げずに立っているところを示したものである。これらの画像が表示されるタイミングについては後述する。
【００７１】
図３は、遊技機１における遊技処理動作を制御する主制御回路８１と、主制御回路８１に電気的に接続する周辺装置（アクチュエータ）と、主制御回路８１から送信される制御指令に基づいて液晶表示装置５及びスピーカ２１Ｌ、２１Ｒを制御する副制御回路８２とを含む回路構成を示す。
【００７２】
主制御回路８１は、回路基板上に配置されたマイクロコンピュータ４０を主たる構成要素とし、これに乱数サンプリングのための回路を加えて構成されている。マイクロコンピュータ４０は、予め設定されたプログラムに従って制御動作を行うＣＰＵ４１と、記憶手段であるＲＯＭ４２及びＲＡＭ４３を含む。
【００７３】
ＣＰＵ４１には、基準クロックパルスを発生するクロックパルス発生回路４４及び分周器４５と、サンプリングされる乱数を発生する乱数発生器４６及びサンプリング回路４７とが接続されている。なお、乱数サンプリングのための手段として、マイクロコンピュータ４０内で、すなわちＣＰＵ４１の動作プログラム上で乱数サンプリングを実行するように構成してもよい。その場合、乱数発生器４６及びサンプリング回路４７は省略可能であり、或いは、乱数サンプリング動作のバックアップ用として残しておくことも可能である。
【００７４】
マイクロコンピュータ４０のＲＯＭ４２には、スタートレバー６を操作（スタート操作）する毎に行われる乱数サンプリングの判定に用いられる確率抽選テーブル、停止ボタンの操作に応じてリールの停止態様を決定するための停止制御テーブル、副制御回路８２へ送信するための各種制御指令（コマンド）等が格納されている。このコマンドには、「デモ表示コマンド」、「スタートコマンド」、「全リール停止コマンド」、「入賞役コマンド」等がある。なお、副制御回路８２が主制御回路８１へコマンド等を入力することはなく、主制御回路８１から副制御回路８２への一方向で通信が行われる。主制御回路８１から副制御回路８２の間は１６本のデータ信号線と１本の信号線で接続されている。そして、これらのコマンドは２バイト、４バイトまたは６バイト構成になっており、１６本のデータ信号線で送信するために１、２または３シーケンスで１つのコマンドとして送信している。
【００７５】
図３の回路において、マイクロコンピュータ４０からの制御信号により動作が制御される主要なアクチュエータとしては、各種ランプ（１−ＢＥＴランプ９ａ、２−ＢＥＴランプ９ｂ、最大ＢＥＴランプ９ｃ、ＷＩＮランプ１７）と、各種表示部（払出表示部１８、クレジット表示部１９、役物作動回数表示部２０）と、メダルを収納し、ホッパー駆動回路５１の命令により所定枚数のメダルを払い出す遊技価値付与手段としてのホッパー（払い出しのための駆動部を含む）５０と、リール３Ｌ、３Ｃ、３Ｒを回転駆動するステッピングモータ５９Ｌ、５９Ｃ、５９Ｒとがある。
【００７６】
更に、ステッピングモータ５９Ｌ、５９Ｃ、５９Ｒを駆動制御するモータ駆動回路５９、ホッパー５０を駆動制御するホッパー駆動回路５１、各種ランプを駆動制御するランプ駆動回路５５、及び各種表示部を駆動制御する表示部駆動回路５８がＩ／Ｏポート４８を介してＣＰＵ４１の出力部に接続されている。これらの駆動回路は、それぞれＣＰＵ４１から出力される駆動指令などの制御信号を受けて、各アクチュエータの動作を制御する。
【００７７】
また、マイクロコンピュータ４０が制御指令を発生するために必要な入力信号を発生する主な入力信号発生手段としては、スタートスイッチ６Ｓ、１−ＢＥＴスイッチ１１、２−ＢＥＴスイッチ１２、最大ＢＥＴスイッチ１３、貯留メダル精算スイッチ１４、投入メダルセンサ２２Ｓ、リール停止信号回路５６、リール位置検出回路６０、払い出し完了信号回路６１がある。これらも、Ｉ／Ｏポート４８を介してＣＰＵ４１に接続されている。
【００７８】
スタートスイッチ６Ｓは、スタートレバー６の操作を検出する。投入メダルセンサ２２Ｓは、メダル投入口２２に投入されたメダルを検出する。リール停止信号回路５６は、各停止ボタン７Ｌ、７Ｃ、７Ｒの操作に応じて停止信号を発生する。リール位置検出回路６０は、リール回転センサからのパルス信号を受けて各リール３Ｌ、３Ｃ、３Ｒの位置を検出するための信号をＣＰＵ４１へ供給する。
払い出し完了信号回路６１は、メダル検出部５０Ｓの計数値（ホッパー５０から払い出されたメダルの枚数）が指定された枚数データに達したとき、メダル払い出し完了を検知するための信号を発生する。
【００７９】
図３の回路において、乱数発生器４６は、一定の数値範囲に属する乱数を発生し、サンプリング回路４７は、スタートレバー６が操作された後の適宜のタイミングで１個の乱数をサンプリングする。こうしてサンプリングされた乱数及びＲＯＭ４２内に格納されている確率抽選テーブルに基づいて、内部当選役が決定される。内部当選役が決定された後、「停止テーブル群」及びそれに含まれる「停止テーブル」を選択するために再び乱数のサンプリングが行われる。
【００８０】
リール３Ｌ、３Ｃ、３Ｒの回転が開始された後、ステッピングモータ５９Ｌ、５９Ｃ、５９Ｒの各々に供給される駆動パルスの数が計数され、その計数値はＲＡＭ４３の所定エリアに書き込まれる。リール３Ｌ、３Ｃ、３Ｒからは一回転毎にリセットパルスが得られ、これらのパルスはリール位置検出回路６０を介してＣＰＵ４１に入力される。こうして得られたリセットパルスにより、ＲＡＭ４３で計数されている駆動パルスの計数値が「０」にクリアされる。これにより、ＲＡＭ４３内には、各リール３Ｌ、３Ｃ、３Ｒについて一回転の範囲内における回転位置に対応した計数値が格納される。
【００８１】
上記のようなリール３Ｌ、３Ｃ、３Ｒの回転位置とリール外周面上に描かれた図柄とを対応づけるために、図柄テーブルが、ＲＯＭ４２内に格納されている。
この図柄テーブルでは、前述したリセットパルスが発生する回転位置を基準として、各リール３Ｌ、３Ｃ、３Ｒの一定の回転ピッチ毎に順次付与されるコードナンバーと、それぞれのコードナンバー毎に対応して設けられた図柄を示す図柄コードとが対応づけられている。
【００８２】
更に、ＲＯＭ４２内には、入賞図柄組合せテーブルが格納されている。この入賞図柄組合せテーブルでは、入賞となる図柄の組合せと、入賞のメダル配当枚数と、その入賞を表す入賞判定コードとが対応づけられている。上記の入賞図柄組合せテーブルは、左のリール３Ｌ、中央のリール３Ｃ、右のリール３Ｒの停止制御時、及び全リール停止後の入賞確認を行うときに参照される。
【００８３】
上記乱数サンプリングに基づく抽選処理（確率抽選処理）により内部当選した場合には、ＣＰＵ４１は、遊技者が停止ボタン７Ｌ、７Ｃ、７Ｒを操作したタイミングでリール停止信号回路５６から送られる操作信号、及び選択された「停止テーブル」に基づいて、リール３Ｌ、３Ｃ、３Ｒを停止制御する信号をモータ駆動回路４９に送る。
【００８４】
内部当選した役の入賞成立を示す停止態様となれば、ＣＰＵ４１は、払い出し指令信号をホッパー駆動回路５１に供給してホッパー５０から所定個数のメダルの払い出しを行う。その際、メダル検出部５０Ｓは、ホッパー５０から払い出されるメダルの枚数を計数し、その計数値が指定された数に達したときに、メダル払い出し完了信号がＣＰＵ４１に入力される。これにより、ＣＰＵ４１は、ホッパー駆動回路５１を介してホッパー５０の駆動を停止し、「メダルの払い出し処理」を終了する。
【００８５】
図４のブロック図は、副制御回路８２の構成を示したものである。副制御回路８２は、主制御回路８１からの制御指令（コマンド）に基づいて液晶表示装置５の表示制御及びスピーカ２１Ｌ、２１Ｒからの音の出力制御を行う。この副制御回路８２は、主制御回路８１を構成する回路基板とは別の回路基板上に構成され、マイクロコンピュータ（以下「サブマイクロコンピュータ」という）８３を主たる構成要素とし、液晶表示装置５の表示制御手段としての画像制御回路９１、スピーカ２１Ｌ、２１Ｒにより出音される音を制御する音源ＩＣ８８、及び増幅器としてのパワーアンプ８９で構成されている。
【００８６】
サブマイクロコンピュータ８３は、主制御回路８１から送信された制御指令に従って制御動作を行うサブＣＰＵ８４と、記憶手段としてのプログラムＲＯＭ８５と、ワークＲＡＭ８６とを含む。副制御回路８２は、クロックパルス発生回路、分周器、乱数発生器及びサンプリング回路を備えていないが、サブＣＰＵ８４の動作プログラム上で乱数サンプリングを実行するように構成されている。
【００８７】
プログラムＲＯＭ８５は、サブＣＰＵ８４で実行する制御プログラムを格納する。ワークＲＡＭ８６は、上記制御プログラムをサブＣＰＵ８４で実行するときの一時記憶手段として構成される。
【００８８】
画像制御回路９１は、画像制御ＣＰＵ９２、画像制御ワークＲＡＭ９３、画像制御プログラムＲＯＭ９４、画像ＲＯＭ９６、ビデオＲＡＭ９７及び画像制御ＩＣ９８で構成される。画像制御ＣＰＵ９２は、サブマイクロコンピュータ８３で設定されたパラメータに基づき、画像制御プログラムＲＯＭ９４内に格納する画像制御プログラムに従って液晶表示装置５での表示内容を決定する。画像制御プログラムＲＯＭ９４は、液晶表示装置５での表示に関する画像制御プログラムや各種選択テーブルを格納する。画像制御ワークＲＡＭ９３は、上記画像制御プログラムを画像制御ＣＰＵ９２で実行するときの一時記憶手段として構成される。
画像制御ＩＣ９８は、画像制御ＣＰＵ９２で決定された表示内容に応じた画像を形成し、液晶表示装置５に出力する。画像ＲＯＭ９６は、画像を形成するためのドットデータを格納する。ビデオＲＡＭ９７は、画像制御ＩＣ９８で画像を形成するときの一時記憶手段として構成される。
【００８９】
次に、主制御回路８１のＣＰＵ４１の制御動作について、図２４〜図３２に示すメインフローチャートを参照して説明する。
【００９０】
初めに、電源が投入され（ステップ［以下、ＳＴと表示する］１）、ＣＰＵ４１は、全出力ポートを初期化する（ＳＴ２）。続いて、パワーダウンエラーであるか否かを判断する（ＳＴ３）。ここで、パワーダウンエラーの場合は、ＳＴ２の処理に移り、パワーダウンエラーでない場合は、ＳＴ４の処理に移る。ＳＴ４の処理では、ＣＰＵ４１の初期化が行われる。続いて、ＲＡＭエラーであるか否かを判断する（ＳＴ５）。ここで、ＲＡＭエラーの場合には、ＲＡＭエラーの表示を行い、処理を中断する。具体的には、７セグメントＬＥＤにより構成されるメダル払出表示器に「ｒｒ」という表示を行う。なお、ＲＡＭエラーとは、ＲＡＭ７８が正常に読み書きできない不具合をいう。
【００９１】
そして、ＲＡＭエラーでない場合には、設定用鍵型スイッチが「オン」であるか否かを判断する（ＳＴ６）。設定用鍵型スイッチが「オン」のときは、６段階の設定処理を行った後、ＳＴ１２の処理に移る。また、設定用鍵型スイッチが「オフ」のときは、ＳＴ８の処理に移る。ＳＴ８の処理では、バッテリーバックアップが正常であるか否かを判断する。バッテリーバックアップが正常のときは、戻り番地、ＲＡＭ７８の未使用領域をクリアした後、全レジスタを電源遮断時の出力状態に復帰させ（ＳＴ９）、入力ポートを電源復帰時の状態に更新し、電源遮断時の状態に復帰する（ＳＴ１０）。バッテリーバックアップが正常でないときは、設定値の初期値をセットする（ＳＴ１１）。
【００９２】
続いて、ＲＡＭ７８の全領域をクリアする（ＳＴ１２）。ここで、ＳＴ１２以下の処理は、ＳＴ６の判断において設定用鍵型スイッチが「オン」のとき、６段階の設定処理を経由した場合にも行われる。続いて、各設定値を格納し（ＳＴ１３）、通信データの初期化を行う（ＳＴ１４）。それから、ＣＰＵ４１は、遊技終了時のＲＡＭ７８をクリアする（ＳＴ１５）。続いて、メダルの自動投入の要求があるか否かを判断する（ＳＴ１６）。自動投入の要求がある場合とは、前の遊技において再遊技の入賞が成立した場合である。メダルの自動投入の要求があるときは、投入要求分のメダルを自動投入し（ＳＴ１７）、副制御回路に遊技メダル投入コマンドを送信した後、ＳＴ２０の処理に移る。メダルの自動投入の要求がないときは、メダル投入口及びベットボタンからのメダルの投入を受け付け（ＳＴ１９）、ＳＴ２０の処理に移る。
【００９３】
ＳＴ２０の処理では、スタートレバーが「オン」か否かを判断し、スタートレバーが「オン」のときは、前遊技から４．１秒経過しているか否かを判断する（ＳＴ２１）。具体的には、後述のＳＴ２４の処理でセットされる一遊技監視用タイマの値に基づいて判断する。前遊技から４．１秒経過していないときは、遊技開始待ち時間を消化し（ＳＴ２２）、ＳＴ２３の処理に移る。
【００９４】
ＳＴ２３の処理では、ＣＰＵ４１は、抽選用の乱数を抽出する。具体的には、０〜１６３８３の範囲から乱数を抽出する。続いて、一遊技監視用タイマをセットし（ＳＴ２４）、現在の遊技状態を判断するための遊技状態監視処理（この遊技状態監視処理についての詳しい説明は後述する）を行う（ＳＴ２５）。そして、高確率再遊技監視処理（この高確率再遊技監視処理についての詳しい説明は後述する）を行う（ＳＴ２６）。
【００９５】
次に、確率抽選処理を行う（ＳＴ２７）。この確率抽選処理では、ＳＴ２３の処理で抽出された乱数値、および遊技状態監視処理で判断した現在の遊技状態に対応した確率抽選テーブルに基づいて、内部当選役を決定する。確率抽選テーブルは、上述した通り各入賞役毎に内部当選となる乱数値が予め定められている。
【００９６】
続いて、ＣＰＵ４１は、当り表示ランプ点灯抽選処理を行い（ＳＴ２８）、リールを停止させるための停止テーブルの選択を行う（ＳＴ２９）。これは、図９〜１１に示したような停止テーブル群を選択し、その中から図１６、１７に示したような停止テーブルを選択することによって行われる。そして、疑似当選フラグの生成を行った（ＳＴ３０）後に、遊技開始時の送信処理としてスタートコマンドを副制御回路に送信し（ＳＴ３１）、リール回転開始用に初期化する（ＳＴ３２）。
【００９７】
次に、ＣＰＵ４１は、停止ボタンが「オン」であるか否かを判断し（ＳＴ３３）、停止ボタンが「オン」のときは、ＳＴ３５の処理に移り、停止ボタンが「オフ」のときは、ＳＴ３４の処理に移る。ＳＴ３４の処理では、自動停止タイマの値が「０」であるか否かを判断し、自動停止タイマの値が「０」のときは、ＳＴ３５の処理に移り、自動停止タイマの値が「０」でないときは、ＳＴ３３の処理に移る。ＳＴ３５の処理では、当選要求（内部当選役のこと）、図柄位置（停止操作時におけるリールの回転位置）、選択されている停止制御テーブル等から滑りコマ数を決定する。そして、ＳＴ３５の処理で決定された滑りコマ数分、リールを回転させる（ＳＴ３６）。
【００９８】
そして、全てのリールが停止したか否かを判断する（ＳＴ３８）が、全てのリールが停止したときは、ＳＴ３９の処理に移り、全てのリールが停止していないときは、ＳＴ３３の処理に移る。そして、遊技終了時の演出処理を行った（ＳＴ４０）後に、入賞検索を行う（ＳＴ４１）。続いて、入賞フラグが正常であるか否かを判断し（ＳＴ４２）、入賞フラグが正常な場合には、ＳＴ４４の処理に移り、入賞フラグが正常でない場合には、イリーガルエラーの表示を行い（ＳＴ４３）、処理を中断する。入賞検索を行うときに、その入賞役がボーナスの場合にヒットリクエストフラグをクリアする処理などを行ってもよいが、ここではそれらの処理の説明を省略している。
【００９９】
次に、連続入賞回数選択状態切替処理（この連続入賞回数選択状態切替処理についての詳しい説明は後述する）を行う（ＳＴ４４）。入賞枚数０であるか否かを判断する（ＳＴ４５）。具体的には、いずれかの役（再遊技を除く）の入賞が成立したか否かを判断する。入賞が成立したときは、遊技状態および入賞役に応じてメダルの貯留または払い出しを行う（ＳＴ４６）。そして次に、差枚数チェック処理（この差枚数チェック処理についての詳しい説明は後述する）を行った（ＳＴ４７）後にＳＴ４８の処理に移行する。
【０１００】
次に、ＣＰＵ４１は、ＢＢ、ＲＢ作動中であるか否かを判断し（ＳＴ４８）、ＢＢ、ＲＢ作動中のときは、ＳＴ４９の処理に移り、ＢＢ、ＲＢ作動中でないときは、ＳＴ５２の処理に移る。ＳＴ４９の処理では、ＢＢ、ＲＢ遊技数チェック処理を行い、その後ＢＢまたはＲＢの終了時であるか否かを判断する（ＳＴ５０）。ＢＢまたはＲＢ終了のときは、次ボーナス選択処理（この次ボーナス選択処理についての詳しい説明は後述する）を行った（ＳＴ５１）後、ＳＴ５３の処理に移る。また、ＢＢまたはＲＢ終了でないときはＳＴ５１の処理を行わず、ＳＴ５３の処理に移る。
【０１０１】
ＳＴ４８においてＢＢ、ＲＢ作動中でないときは、ＢＢ、ＲＢ入賞チェック処理（ＳＴ５２）を行い、ＳＴ５３の処理に移る。ＳＴ５３の処理では、ボーナス７ＳＥＧ制御処理を行い、ＳＴ１５の処理に移る。
【０１０２】
図３０、図３１は、ＳＴ２５で行われる遊技状態監視処理について示したものである。初めに、ボーナス作動中か否かの判断を行う（ＳＴ１００）。この判断においてボーナス作動中の場合は、それぞれの状態（すなわちＢＢ作動中またはＲＢ作動中であること）をＲＡＭの所定領域に格納し（ＳＴ１０１）、処理を復帰する。
【０１０３】
そして、ＳＴ１００の判断において、ボーナス作動中でない場合は、ヒットリクエストフラグが００Ｈであるか否か、すなわちボーナスフラグが持ち越されている状態か否かの判断を行う（ＳＴ１０２）。この判断において、ヒットリクエストフラグが００Ｈであると判断された場合は、ボーナスフラグが持ち越されていない場合は、現在の遊技状態を一般遊技中であることをＲＡＭの所定領域に格納し（ＳＴ１０３）、処理を復帰する。そして、ＳＴ１０２の判断で、ヒットリクエストフラグが００Ｈでない場合は、ＳＴ１０４の処理に移行する。
【０１０４】
ＳＴ１０４の処理では、現在の遊技状態が一般遊技中であるか否かの判断を行う。ここで、一般遊技中でない場合はそのまま処理を復帰させ、一般遊技中の場合は、ＳＴ１０５の処理に移行する。ＳＴ１０５の処理では、ヒットリクエストフラグが１０Ｈであるか否か、すなわちＲＢのフラグが持ち越されている状態か否かの判断を行う。この判断において、ヒットリクエストフラグが１０Ｈであると判断された場合は、現在の遊技状態をＲＢ内部当選中であることをＲＡＭの所定領域に格納し（ＳＴ１０６）、ＳＴ１０８の処理に移行する。
【０１０５】
そして、ＳＴ１０５の判断において、ヒットリクエストフラグが１０Ｈでない場合は、ＢＢのフラグが持ち越されている状態なので、現在の遊技状態がＢＢ内部当選中であることをＲＡＭの所定領域に格納し（ＳＴ１０７）、ＳＴ１０８の処理に移行する。ＳＴ１０８の処理では、連続入賞回数選択処理（この連続入賞回数選択処理についての詳しい説明は後述する）を行った後、高確率再遊技継続ゲーム数選択処理（この高確率再遊技継続ゲーム数選択処理についての詳しい説明は後述する）を行い、処理を復帰する。
【０１０６】
この遊技状態監視処理で決定する遊技状態は、この後に行う確率抽選およびリールの停止制御を行う際に参照する遊技状態である。このように遊技状態の判断を、確率抽選およびリールの停止制御を行う前に、ボーナスのフラグが持ち越しされているかどうかによって遊技状態を判断することで、ボーナスが内部当選したゲームと、ボーナス内部当選中のハズレとを区別することができる。また、この他にも、再遊技に入賞したことを示す遊技状態等を判別する処理を別途行うようにしてもよい。
【０１０７】
図３２は、ＳＴ２６で行われる高確率再遊技監視処理について示したものである。まず、高確率再遊技継続ゲーム数が０か否かを判別する（ＳＴ１１０）。この処理で高確率再遊技継続ゲーム数が０であると判断された場合には、そのまま処理を復帰し、０でないと判断された場合にはＳＴ１１１の処理に移行する。ＳＴ１１１の処理では、ボーナス作動中か否かを判断する。この判断でボーナス作動中であると判断された場合には、そのまま処理を復帰し、ボーナス作動中であると判断された場合には高確率再遊技継続ゲーム数を１減算し（ＳＴ１１２）、処理を復帰させる。
【０１０８】
図３３、図３４は、ＳＴ２７で行われる確率抽選処理について示したものである。まず、ボーナス作動中か否かの判断を行う（ＳＴ１１０）。現在の遊技状態がボーナス作動中の場合は、ＢＢ作動中用確率抽選テーブル、もしくはＲＢ作動中用確率抽選テーブルに基づいて抽選することで内部当選役を決定し（ＳＴ１２４）、決定された内部当選役をＲＡＭの所定領域に格納する（ＳＴ１２５）。
【０１０９】
そして、ＳＴ１２０において、現在の遊技状態がボーナス作動中でないと判断された場合は、高確率再遊技継続ゲーム数が０か否かの判断を行う（ＳＴ１２１）。ここで、高確率再遊技継続ゲーム数が０と判断されたときは、図７（ａ）に示す高確率再遊技中でない一般遊技中用の確率抽選テーブルに基づいて抽選することで内部当選役を決定し（ＳＴ１２２）、決定された内部当選役をＲＡＭの所定領域に格納する（ＳＴ１２５）。
【０１１０】
そして、ＳＴ１２１において、高確率再遊技継続ゲーム数が０でないと判断された場合は、図７（ｂ）に示す高確率再遊技中ボーナス内部当選中用の確率抽選テーブルに基づいて抽選することで内部当選役を決定し（ＳＴ１２３）、決定された内部当選役をＲＡＭの所定領域に格納する（ＳＴ１２５）。
【０１１１】
次に、ＳＴ１２５で格納された内部当選役がＢＢまたはＲＢであるかの判断を行う（ＳＴ１２６）。この判断において、内部当選役がＢＢまたはＲＢであると判断されたときは、その内部当選役がＢＢの場合にはＢＢストック数に、ＲＢの場合にはＲＢストック数に１を加算してＲＡＭに格納し（ＳＴ１２７）、ＳＴ１２８の処理に移る。ＳＴ１２６において、内部当選役がＢＢまたはＲＢでない場合には、そのまま処理を復帰させる。
【０１１２】
ＳＴ１２８の処理では、ヒットリクエストフラグが既にセットされているか、つまり現在の遊技状態がボーナス内部当選中であるか否かの判断を行う。この判断で、既にヒットリクエストフラグがセットされている場合は、そのまま処理を復帰させるが、ヒットリクエストフラグがセットされていない場合には、内部当選役がＢＢの場合にはヒットリクエストフラグに２０Ｈを、ＲＢの場合にはヒットリクエストフラグに１０Ｈを、ＲＡＭの所定領域に格納する（ＳＴ１２９）。
そして、ヒットリクエストフラグをセットしたボーナスのストック数を減算する（ＳＴ１３０）。続いて、連続入賞回数選択処理（この連続入賞回数選択処理についての詳しい説明は後述する）を行った後、高確率再遊技継続ゲーム数選択処理（この高確率再遊技継続ゲーム数選択処理についての詳しい説明は後述する）を行う（ＳＴ１３２）。
【０１１３】
このように、内部当選役の決定を行い、その内部当選役がボーナスだった場合に、そのゲームにおいてボーナスが持ち越しされているかどうかの判断を行うようにすると、ボーナスが持ち越しされている状態では高確率再遊技継続ゲーム数の抽選を行わず、ボーナスが持ち越しされていない状態では必ず高確率再遊技継続ゲーム数の抽選を行うことができる。よって、ボーナスが内部当選した場合には、高確率再遊技継続ゲーム数の抽選において０ゲームが選択されない限り、必ず高確率再遊技期間を経由してからボーナスに入賞するようにすることができる。
【０１１４】
図３５は、ＳＴ２８で行われる当り表示ランプ点灯抽選処理について示した他ものである。この処理では、まずＷＩＮランプ（当り表示ランプ）が現在点灯中であるか否かの判断を行う（ＳＴ１４１）。ここで、既に点灯している場合はそのまま処理を復帰させるが、点灯していない場合には、現在の高確率再遊技中であるか否か、すなわち高確率再遊技継続ゲーム数が０であるか否かを判断する（ＳＴ１４２）。ここで、高確率再遊技中であると判断されたときは、そのまま処理を復帰させる。本実施例では、高確率再遊技中には、ボーナス図柄が並ぶことがないので、ＷＩＮランプ点灯の点灯の決定を行う必要がないので、その移行の処理を行わず、そのまま処理を復帰させるようにしている。
【０１１５】
そして、ＳＴ１４２の判断で、高確率再遊技中でないと判断された場合は、ボーナス内部当選中か否かを判断する（ＳＴ１４３）。この判断で、ボーナス内部当選中でないと判断された場合にはそのまま処理を復帰させるが、ボーナス内部当選中であると判断された場合には、点灯抽選テーブルに基づいて点灯させるか否かを決定する（ＳＴ１４４）。この判断で点灯に当選した場合は、ＷＩＮランプを点灯させて（ＳＴ１４６）、処理を復帰させる。また、点灯に当選しなかった場合には、ＳＴ１４６の処理を行わずに処理を復帰させる。このＷＩＮランプは、一旦点灯したらボーナスに入賞するまで点灯し続け、ボーナスに入賞したときに消灯するようにしている。
【０１１６】
このような処理を行うことによって、何等かのボーナスのヒットリクエストフラグがセットされていたとしても、停止制御によりボーナス図柄が並ぶことがない状態において、ＷＩＮランプが点灯することがないので、遊技者に対してボーナスを入賞させることができる状態を遊技者に正確に報知することができるようになる。
【０１１７】
図３６は、ＳＴ２９で行われる回胴停止停止テーブル選択処理について示したものである。この処理では、現在の遊技状態と、このゲームの内部当選役と、高確率再遊技中であるか否かに基づいて停止テーブル群を選択する（ＳＴ１５１）。そして、この選択された停止テーブル群の中から抽選により一の停止を選択する（ＳＴ１５２）。
【０１１８】
図３７は、ＳＴ４４で行われる連続入賞回数選択状態切替処理について示したものである。この処理では、まずチェリーに入賞したか否かの判断を行う（ＳＴ１６０）。ここで、チェリーに入賞したと判断されると、図１８（ａ）に示したチェリー入賞時用連続入賞回数選択状態切替テーブルに基づいて抽選を行う（ＳＴ１６１）。そして、ＳＴ１６０においてチェリーに入賞していないと判断されたときは、スイカに入賞したか否かの判断を行う（ＳＴ１６２）。ここで、スイカに入賞したと判断されたときは、図１８（ｂ）に示したスイカ入賞時用連続入賞回数選択状態切替テーブルに基づいて抽選を行う（ＳＴ１６３）。ＳＴ１６２においてスイカに入賞していないと判断されたときは、そのまま処理を復帰させる。
【０１１９】
このように所定ゲーム数以内の継続ゲーム数で終了する高確率再遊技期間の発生回数に関わる種々の条件を選択するときの状態を切り替えることによって、その状態毎に遊技性が異なるように、各条件を選択する際に用いる選択テーブルを設定することができる。ボーナスとボーナスとの間に必ず高確率再遊技期間が発生するようにすればボーナスを連荘させることが可能になり、上述したような状態毎に連荘の発生率を制御することができるようになる。
【０１２０】
図３８は、ＳＴ４７で行われる差枚数チェック処理について示したものである。この処理では、まず、このゲームで投入されたメダル数（使用された遊技媒体数）を総投入枚数カウンタに加算する（ＳＴ１７１）。そして、このゲームで払い出されたメダル数（払い出された遊技媒体数）を総払出枚数カウンタに加算する（ＳＴ１７２）。次いで、総払出枚数カウンタに格納されている値から総投入枚数カウンタに格納されている値を減算する（ＳＴ１７３）。その減算した値が規定枚数以上か否かを判断する（ＳＴ１７４）。この判断において上限規定枚数（例えば１００００枚）以上であると判断された場合には、連続入賞回数選択状態を状態Ａに変更した（ＳＴ１７５）後、処理を復帰させる。また、規定枚数以上でないと判断された場合には、下限規定枚数（例えば−１００００枚）以下であるか否かを判断する（ＳＴ１７６）。この判断で、規定枚数以下であると判断された場合には、連続入賞回数選択状態を状態Ａに変更した（ＳＴ１７７）後、処理を復帰させる。また、規定枚数以下でないと判断された場合には、ＳＴ１７７の処理を行わず、そのまま処理を復帰させる。
【０１２１】
このように差枚数が所定の枚数（例えば１００００枚）を越えた場合には、連続入賞回数選択状態切替処理の決定結果に拘わらず、比較的小さな連続入賞回数が選択される状態に切り替え、所定の枚数（例えば−１００００枚）を下回った場合には、連続入賞回数選択状態切替処理の決定結果に拘わらず、比較的大きな連続入賞回数が選択される状態に切り替えるようにすることで、遊技者の利益と不利益との偏りを低減させることが可能になり、遊技機の払出率を安定させることができる。
【０１２２】
図３９は、ＳＴ５１で行われる次ボーナス選択処理について示したものである。この処理では、まずＢＢストック数およびＲＢストック数がともに１以上か否かの判断を行う（ＳＴ１８０）。ここで、ＢＢストック数およびＲＢストック数がともに１以上であると判断された場合は、図２１（ａ）に示した次ボーナス選択テーブルに基づいて乱数抽選し（ＳＴ１８１）、選択されたボーナスに対応するヒットリクエストフラグをＲＡＭの所定領域に格納する（ＳＴ１８２）。
【０１２３】
また、ＳＴ１８０の判断において、ＢＢストック数およびＲＢストック数がともに１以上でないと判断された場合は、ＢＢのストック数が１以上か判断し（ＳＴ１８３）、ＢＢのストック数が１以上と判断された場合は、ＢＢに対応するヒットリクエストフラグをＲＡＭの所定領域に格納する（ＳＴ１５４）。
【０１２４】
また、ＳＴ１８３の判断において、ＢＢストック数が１以上でないと判断された場合は、ＲＢのストック数が１以上か判断し（ＳＴ１８５）、ＲＢのストック数が１以上と判断された場合は、ＲＢに対応するヒットリクエストフラグをＲＡＭの所定領域に格納する（ＳＴ１８６）。
【０１２５】
また、ＳＴ１８５の判断において、ＲＢストック数が１以上でないと判断された場合は、ＢＢのストック数およびＲＢのストック数がともに０であることから一般遊技中に対応するヒットリクエストフラグをＲＡＭの所定領域に格納する（ＳＴ１８８）。
【０１２６】
このような処理を行うことによって、次に入賞するボーナスの種別を予め決定することができるようになるので、意図的に一方のボーナスを入賞しやすくしたり、両方のボーナスを均等に入賞するようにする等、遊技機の特性を任意に設定することができるようになる。
【０１２７】
図４０は、ＳＴ１０８やＳＴ１３１で行われる連続入賞回数選択処理について示したものである。この処理では、まず、連続入賞回数選択状態が状態Ａか否かを判断する（ＳＴ１９０）。ＳＴ１９０において状態Ａと判断されたの場合には、図２０に示した連続入賞回数選択テーブルの状態Ａテーブルに基づいて抽選し、ＳＴ１９３の処理に移行する。また、ＳＴ１９０において状態Ａでないと判断された場合には、図２０に示した連続入賞回数選択テーブルの状態Ｂテーブルに基づいて抽選し、ＳＴ１９３の処理に移行する。ＳＴ１９３では、ＳＴ１９１もしくはＳＴ１９２の抽選で選択された連続入賞回数をＲＡＭの所定領域の連続入賞回数カウンタに加算する。
【０１２８】
図４１は、ＳＴ１０９やＳＴ１３２で行われる高確率再遊技継続ゲーム数選択処理について示したものである。この処理では、まず高確率再遊技継続ゲーム数が１以上か否か、すなわち現在高確率再遊技期間か否かの判断を行う（ＳＴ２００）。ここで高確率再遊技期間であると判断された場合は、そのまま処理を復帰し、高確率再遊技期間でないと判断された場合は、ＳＴ２０１の処理に移行する。ＳＴ２０１では、連続入賞回数が１以上か否かの判断を行う（ＳＴ２０１）。
ここで、連続入賞回数が１以上の場合は、高確率再遊技継続ゲーム数選択テーブルの連続入賞回数１以上のテーブルに基づいて抽選し（ＳＴ２０２）、そうでない場合は、高確率再遊技継続ゲーム数選択テーブルの連続入賞回数０のテーブルに基づいて抽選し（ＳＴ２０３）、ＳＴ２０４の処理に移行する。ＳＴ２０４の処理では、ＳＴ２０２もしくはＳＴ２０３の抽選で選択された高確率再遊技継続ゲーム数をＲＡＭの高確率再遊技継続ゲーム数カウンタに加算する。
【０１２９】
このように連続入賞回数の値に基づいて再遊技継続ゲームを決定することによって、比較的短い高確率再遊技期間と比較的長い高確率再遊技期間を連続して発生させることが可能になり、ボーナスの連荘を意図的に調節して発生させることが可能になる。
【０１３０】
次に、図４２および４３を参照して、副制御回路８２の制御処理について説明する。まず、図４２は、副制御回路の処理の概略について説明したものである。
初めに、サブＣＰＵ８４は、スタートコマンドを受信したか否か、すなわち一のゲームが開始したか否かを判別する（ＳＴ２１１）。スタートコマンドを受信した場合、演出選択処理（ＳＴ２１２）を行った後、再びＳＴ２１１の処理に戻る。
【０１３１】
図４３は、ＳＴ２１２で行われる演出選択処理について示したものである。この処理では、まず、ボーナスが終了したか否かを判断する（ＳＴ２２０）。このＳＴ２２０の判断において、ボーナス終了と判断された場合には、連続入賞回数選択状態が状態Ａであるか否かを判断する（ＳＴ２２１）。この判断で連続入賞回数選択状態Ａの場合には、図２３（ａ）に示した演出画像１が選択される（ＳＴ２２２）。ＳＴ２２１の判断で、連続入賞回数選択状態が状態Ａでない、すなわち状態Ｂの場合には、図２３（ｂ）に示した演出画像２が選択される（ＳＴ２２３）。そして、ＳＴ２２２、ＳＴ２２３のいずれかで選択された演出画像を液晶表示装置５の表示画面５ａに表示する（ＳＴ２２４）。
【０１３２】
このような処理を行うことによって、遊技者は、自分が現在比較的有利な状況にいるのか否かを判断しながら遊技を進めることができるので、不当に不利益を被ることがなくなる。また、ボーナス終了時等、特定の状況下でのみ報知するようにすれば、その特定の状況に達することへの期待感が高まる。
【０１３３】
以上、実施例について説明したが、本発明はこれに限られるものではない。実施例では、高確率再遊技期間にはボーナスが入賞しないような構成で説明したが、ストップボタンの操作タイミング等によってボーナスが入賞する可能性を残すようにしてもよい。
【０１３４】
更に、本実施例のようなスロットマシンの他、パチンコ遊技機等の他の遊技機にも適用することができる。更に、このような遊技機の動作を家庭用ゲーム機用として擬似的に実行するようなゲームプログラムにも適用してゲームを実行することができる。その場合、ゲームプログラムを記録する記録媒体は、ＣＤ−ＲＯＭ、ＦＤ（フレキシブルディスク）等、任意の記録媒体を利用できる。
【０１３５】
【発明の効果】
以上、説明したように本発明によれば、継続ゲーム数の異なる複数種類の高確率再遊技期間が設けられ、複数回先の高確率再遊技期間の発生を予め決定するようにした遊技機において、所定の継続ゲーム数以内で終了する高確率再遊技期間が発生する回数を、使用遊技媒体の総数（総ＩＮ枚数）と、払出遊技媒体の総数（総ＯＵＴ枚数）とに基づいて決定するようにしたことから、高確率再遊技期間の継続ゲーム数に偏りが発生したとしても、総ＩＮ枚数と総ＯＵＴ枚数の差が所定の値に達した場合に、特定継続ゲーム数以内の高確率再遊技期間が連続して選択されるようにしたり、或いは特定継続ゲーム数以内の高確率再遊技期間が連続して選択されないようにすることにより、遊技者の利益と不利益との偏りを低減させることが可能になり、遊技機の払出率を安定させることができるようになる。
【図面の簡単な説明】
【図１】本発明の実施形態によるスロットマシンの外観を示す斜視図である。
【図２】本発明の実施形態によるスロットマシンの外観を示す正面図である。
【図３】本発明の実施形態によるスロットマシンの電気回路の構成を示すブロック図である。
【図４】本発明の実施形態によるスロットマシンの副制御回路の構成を示すブロック図である。
【図５】リール上に配列された図柄列を示した図である。
【図６】入賞図柄組合せに対応する入賞役及び払出枚数を示す図である。
【図７】確率抽選テーブルを示した図である。
【図８】内部当選役とヒットリクエストフラグの関係を示した図である。
【図９】遊技状態と、内部当選役と、選択される停止テーブル群との関係を示した図である。
【図１０】遊技状態と、内部当選役と、選択される停止テーブル群との関係を示した図である。
【図１１】遊技状態と、内部当選役と、選択される停止テーブル群との関係を示した図である。
【図１２】各遊技状態における内部当選役に対する入賞の可能性のある入賞役をまとめたものを示した図である。
【図１３】各遊技状態における内部当選役に対する入賞の可能性のある入賞役をまとめたものを示した図である。
【図１４】各遊技状態における内部当選役に対する入賞の可能性のある入賞役をまとめたものを示した図である。
【図１５】高確率再遊技期間中に再遊技か内部当選したときの停止テーブル群選択テーブルを示した図である。
【図１６】再遊技入賞成立可能停止テーブルを示した図である。
【図１７】全入賞役入賞不成立停止テーブルを示した図である。
【図１８】チェリー入賞時用連続入賞回数選択状態切替テーブルと、スイカ入賞時用連続入賞回数選択状態切替テーブルを示した図である。
【図１９】高確率再遊技継続ゲーム数選択テーブルを示した図である。
【図２０】連続入賞回数数選択テーブルを示した図である。
【図２１】次ボーナス選択テーブルを示した図である。
【図２２】主制御回路から副制御回路に送信されるコマンドの例を示した図である。
【図２３】液晶表示画面に表示される演出画像の一例を示した図である。
【図２４】主制御回路の処理を示すフローチャートである。
【図２５】主制御回路の処理を示すフローチャートである。
【図２６】主制御回路の処理を示すフローチャートである。
【図２７】主制御回路の処理を示すフローチャートである。
【図２８】主制御回路の処理を示すフローチャートである。
【図２９】主制御回路の処理を示すフローチャートである。
【図３０】遊技状態監視処理処理を示すフローチャートである。
【図３１】遊技状態監視処理処理を示すフローチャートである。
【図３２】高確率再遊技監視処理を示すフローチャートである。
【図３３】確率抽選処理を示すフローチャートである。
【図３４】確率抽選処理を示すフローチャートである。
【図３５】当り表示ランプ点灯抽選処理を示すフローチャートである。
【図３６】回胴停止テーブル選択処理を示すフローチャートである。
【図３７】連続入賞回数選択状態切替処理を示すフローチャートである。
【図３８】差枚数チェック処理を示すフローチャートである。
【図３９】次ボーナス選択処理を示すフローチャートである。
【図４０】連続入賞回数選択処理を示すフローチャートである。
【図４１】高確率再遊技継続ゲーム数選択処理を示すフローチャートである。
【図４２】副制御回路の処理を示すフローチャートである。
【図４３】演出選択処理を示すフローチャートである。
【符号の説明】
１…遊技機、２…キャビネット、２ａ…パネル表示部、３Ｌ、３Ｃ、３Ｒ…リール、４Ｌ、４Ｃ、４Ｒ…表示窓、５…液晶表示装置、５ａ…液晶表示画面、６…スタートレバー、７Ｌ、７Ｃ、７Ｒ…停止ボタン、１０…台座部、１１…１−ＢＥＴスイッチ、１２…２−ＢＥＴスイッチ、１３…最大−ＢＥＴスイッチ、１４…貯留メダル精算スイッチ、１５…遊技メダル払出口、１６…遊技メダル受け部、１７…ＷＩＮランプ、１８…払出表示部、１９…遊技メダル貯留枚数表示部、２０…役物回数表示部、２１Ｌ、２１Ｒ…スピーカ、２２…メダル投入口、２３…配当表パネル、２４…遊技メダル投入ランプ、２５…遊技開始表示ランプ、２６…十字ボタン、２７…○ボタン、２８…×ボタン、２９…ドア開閉および打ち止め解除装置、３１…遊技停止表示器、３２…再遊技表示器、３３…ＲＢ作動表示器、３４…ＢＢ作動表示器
【図１】
2004135840.tif 000003
【図２】
2004135840.tif 000004
【図３】
2004135840.tif 000005
【図４】
2004135840.tif 000006
【図５】
2004135840.tif 000007
【図６】
2004135840.tif 000008
【図７】
2004135840.tif 000009
【図８】
2004135840.tif 000010
【図９】
2004135840.tif 000011
【図１０】
2004135840.tif 000012
【図１１】
2004135840.tif 000013
【図１２】
2004135840.tif 000014
【図１３】
2004135840.tif 000015
【図１４】
2004135840.tif 000016
【図１５】
2004135840.tif 000017
【図１６】
2004135840.tif 000018
【図１７】
2004135840.tif 000019
【図１８】
2004135840.tif 000020
【図１９】
2004135840.tif 000021
【図２０】
2004135840.tif 000022
【図２１】
2004135840.tif 000023
【図２２】
2004135840.tif 000024
【図２３】
2004135840.tif 000025
【図２４】
2004135840.tif 000026
【図２５】
2004135840.tif 000027
【図２６】
2004135840.tif 000028
【図２７】
2004135840.tif 000029
【図２８】
2004135840.tif 000030
【図２９】
2004135840.tif 000031
【図３０】
2004135840.tif 000032
【図３１】
2004135840.tif 000033
【図３２】
2004135840.tif 000034
【図３３】
2004135840.tif 000035
【図３４】
2004135840.tif 000036
【図３５】
2004135840.tif 000037
【図３６】
2004135840.tif 000038
【図３７】
2004135840.tif 000039
【図３８】
2004135840.tif 000040
【図３９】
2004135840.tif 000041
【図４０】
2004135840.tif 000042
【図４１】
2004135840.tif 000043
【図４２】
2004135840.tif 000044
【図４３】
2004135840.tif 000045